(57)【要約】【課題】  本発明は、液晶表示装置における基板表面を洗浄するブラシ組立体および液晶基板洗浄装置に関するものである。【解決手段】  本発明は、異なる形状をした直線ブラシ、ロールブラシ、カップブラシから構成され、また、それぞれのブラシが異なる速度で駆動制御されているブラシ組立体からなる。前記直線ブラシは、前記基板表面上を直交する方向に往復移動を行なうものである。前記ロールブラシは、前記基板表面上を転がり摩擦が発生する方向に回転する。前記カップブラシは、前記基板表面と、ブラシの回転面とが同じである。そして、本発明の液晶表示装置の基板表面を洗浄するブラシ組立体は、前記直線ブラシ、ロールブラシ、カップブラシの内の少なくとも二つを組み合わせることにより、異なる形状と異なる駆動速度により相乗効果を発揮して、液晶表示装置の基板表面の隅々までを均等に、かつ、効率良く洗浄することができる。【選択図】  図１
2006184388.tif 000002
【特許請求の範囲】
【請求項１】
液晶表示装置の基板表面を洗浄するブラシ組立体において、
前記基板表面上を直交する方向に移動する直線ブラシと、
前記基板表面上を転がる方向に回転するロールブラシと、
前記基板表面上を面方向に回転するカップブラシと、
の内の少なくとも二つを組み合わせたことを特徴とする液晶表示装置の基板表面を洗浄するブラシ組立体。
【請求項２】
液晶表示装置の基板を移動する第１駆動装置と、
前記基板表面上を直交する方向に移動する直線ブラシと、
前記直線ブラシを駆動する第２駆動装置と、
前記基板表面上を転がる方向に回転するロールブラシと、
前記ロールブラシを駆動する第３駆動装置と、
前記基板表面上を面方向に回転するカップブラシと、
前記カップブラシを駆動する第４駆動装置と、
の内の少なくとも二つのブラシを組み合わせるとともに、それぞれの駆動速度を制御する制御装置と、
を備えていることを特徴とする液晶表示装置の基板表面を洗浄する液晶基板洗浄装置。
【請求項３】
前記液晶基板洗浄装置は、洗浄液供給装置を備えていることを特徴とする請求項２に記載された液晶基板洗浄装置。
【請求項４】
前記液晶基板の種類、大きさ、および／または形状により予めそれぞれのブラシに対する駆動速度が設定され、前記設定された駆動速度でそれぞれのブラシが駆動することを特徴とする請求項２または請求項３に記載された液晶基板洗浄装置。
【請求項５】
前記液晶基板は、湾曲していることを特徴とする請求項２から請求項４のいずれか１項に記載された液晶基板洗浄装置。
【発明の詳細な説明】
【技術分野】
【０００１】
本発明は、液晶表示装置における基板表面を洗浄するブラシ組立体および液晶基板洗浄装置に関するものである。本発明は、特に、異なる形状のブラシを組み合わせて組み立てることにより、前記基板表面の隅々を均等に洗浄することができる液晶表示装置の基板表面を洗浄するブラシ組立体および液晶基板洗浄装置に関するものである。
【背景技術】
【０００２】
図５（イ）および（ロ）は従来の液晶表示装置の基板表面を洗浄する状態を説明するための図である。図５（イ）において、液晶表示装置における基板５１は、上部にロールブラシ５２が押し付けられるようにして回転することにより、表面が洗浄される。また、図５（ロ）において、液晶表示装置における基板５１は、上部にそれぞれが回転する複数のカップブラシ５３により、表面がそれぞれ洗浄される。
【０００３】
また、従来の液晶表示装置の基板表面を洗浄するブラシは、たとえば、特開平１１−２１６４３０号公報に記載されているように、液晶表示パネルの進行方向に対して直交する方向に摺動している。また、特開２０００−１８０８０６号公報に記載されたガラスクリーニング装置は、液晶表示パネルの片面の異物を除去するため、ノズルから洗浄液を吹き付けている。さらに、特開２００１−３２１７３２号公報に記載されたタッチパネルの清掃機構は、タッチパネルの表面に直線ブラシを当接することによって洗浄液とともに汚れを拭き取っている。
【特許文献１】特開平１１−２１６４３０号公報
【特許文献２】特開２０００−１８０８０６号公報
【特許文献３】特開２００１−３２１７３２号公報
【発明の開示】
【発明が解決しようとする課題】
【０００４】
従来の液晶表示装置における基板表面の洗浄方法は、一種類のブラシにより行なわれているため、基板全面に均等にブラシが当たらない場合があり、画面の一部に洗浄ムラができる。前記洗浄ムラは、ユーザが前記液晶表示装置の画面を見る際に、全面が均一でなく、一部が鮮明に見えない状態が発生した。特に、前記液晶表示装置における基板表面は、その隅や周り部分にブラシが当たらない部分が生じ、画面の一部を不鮮明にしていた。
【０００５】
以上のような課題を解決するために、本発明は、液晶表示装置における基板が大きくなった場合、あるいは少し湾曲した状態の場合であっても、ブラシが前記基板の全面を均一に洗浄でき、鮮明な画面とすることができる液晶表示装置の基板表面を洗浄するブラシ組立体および液晶基板洗浄装置を提供することを目的とする。
【課題を解決するための手段】
【０００６】
（第１発明）
第１発明の液晶表示装置の基板表面を洗浄するブラシ組立体は、前記基板表面上を直交する方向に移動する直線ブラシと、前記基板表面上を転がる方向に回転するロールブラシと、前記基板表面上を面方向に回転するカップブラシと、の内の少なくとも二つを組み合わせたことを特徴とする。
【０００７】
（第２発明）
第２発明の液晶基板洗浄装置は、液晶表示装置の基板を移動する第１駆動装置と、前記基板表面上を直交する方向に移動する直線ブラシと、前記直線ブラシを駆動する第２駆動装置と、前記基板表面上を転がる方向に回転するロールブラシと、前記ロールブラシを駆動する第３駆動装置と、前記基板表面上を面方向に回転するカップブラシと、前記カップブラシを駆動する第４駆動装置と、の内の少なくとも二つのブラシを組み合わせるとともに、それぞれの駆動速度を制御する制御装置とを備えていることを特徴とする。
【０００８】
（第３発明）
第３発明の液晶基板洗浄装置は、第２発明の液晶基板洗浄装置に洗浄液供給装置が備えられていることを特徴とする。
【０００９】
（第４発明）
第４発明の液晶基板洗浄装置は、第２発明または第３発明において、液晶基板の種類、大きさ、および／または形状により予めそれぞれのブラシに対する駆動速度が設定され、前記設定された駆動速度でそれぞれのブラシが駆動することを特徴とする。
【００１０】
（第５発明）
第５発明の液晶基板洗浄装置は、第２発明から第４発明の液晶基板が湾曲していることを特徴とする。
【発明の効果】
【００１１】
本発明によれば、液晶表示装置の基板表面を洗浄するブラシ組立体を直線ブラシ、ロールブラシ、カップブラシの内の少なくとも二つを組み合わせることにより、異なる複数の形状からなるブラシと、これらのブラシの異なる駆動速度により相乗効果を発揮して、液晶表示装置の基板表面の隅々までを均等に、かつ、効率良く洗浄することができる。
【００１２】
本発明によれば、直線ブラシ、ロールブラシ、カップブラシの内の少なくとも二つのブラシを組み合わせ、それぞれの駆動装置により、それぞれ所定の速度で駆動させることができるため、液晶基板の表面に合った洗浄が効率良く、かつ、基板の表面の隅々まで均等に行なうことができる。
【００１３】
本発明によれば、液晶基板の種類、形状、および／または大きさ等を入力することにより、予め設定された駆動速度でそれぞれのブラシを駆動させるため、品質の高い液晶基板を得ることができる。また、本発明の液晶基板洗浄装置は、液晶基板が湾曲している場合にも適用でき、液晶基板が湾曲していても、その表面の隅々までの洗浄が行き届く。
【発明を実施するための最良の形態】
【００１４】
（第１発明）
第１発明の液晶表示装置の基板表面を洗浄するブラシは、異なる形状をした直線ブラシ、ロールブラシ、カップブラシから構成され、また、それぞれのブラシが異なる方向の運動と異なる速度で駆動制御されているブラシ組立体からなる。前記直線ブラシは、前記基板の表面上を進行方向に対して直交する方向に往復移動を行なうものである。前記ロールブラシは、前記基板表面上を転がり摩擦が発生する方向に回転する。前記カップブラシは、前記基板表面と、ブラシの回転面とが同じである。そして、本発明の液晶表示装置の基板表面を洗浄するブラシ組立体は、前記直線ブラシ、ロールブラシ、カップブラシの内の少なくとも二つを組み合わせることにり、異なる形状のブラシによる異なる運動と、異なる駆動速度により相乗効果を発揮して、液晶表示装置の基板表面の隅々までを均等に、かつ、効率良く洗浄することができる。
【００１５】
（第２発明）
第２発明の液晶基板洗浄装置は、異なる形状および異なる方向への駆動を行なう直線ブラシ、ロールブラシ、カップブラシ等の複数のブラシ組立体がそれぞれの駆動装置により所定の駆動速度で制御される。液晶表示装置の基板は、第１駆動装置により一方向に移動する。前記直線ブラシは、第２駆動装置により、液晶表示装置の基板の移動方向に対して、たとえば、直交する方向に往復運動を所定の速度で駆動される。前記ロールブラシは、前記直線ブラシと平行に配置されるとともに、第３駆動装置により、転がり摩擦を発生するように所定の速度で駆動される。前記カップブラシは、前記ロールブラシと平行に複数個が配置され、第４駆動装置により、前記基板表面の面方向に所定の回転速度で擦るように制御される。
【００１６】
第２発明の液晶基板洗浄装置は、前記直線ブラシ、ロールブラシ、カップブラシの内の少なくとも二つの形状および運動が異なるブラシを組み合わせ、それぞれの駆動装置により、それぞれ所定の速度で駆動させることができるため、液晶基板の表面に合った洗浄が効率良く、かつ、基板の表面の隅々まで均等に行なうことができる。
【００１７】
（第３発明）
第３発明の液晶基板洗浄装置は、洗浄液供給装置を備えており、前記洗浄液の供給も前記ブラシの駆動速度同様に制御される。
【００１８】
（第４発明）
第４発明の液晶基板洗浄装置は、液晶基板の種類、形状、および／または大きさにより、予め決められた駆動速度で、直線ブラシ、ロールブラシ、カップブラシをそれぞれ制御している。第４発明の液晶基板洗浄装置における制御装置は、液晶基板の種類、形状、および／または大きさ等を入力することにより、予め設定された駆動速度でそれぞれのブラシが駆動されるため、品質の高い液晶基板を得ることができる。
【００１９】
（第５発明）
第５発明の液晶基板洗浄装置は、液晶基板が湾曲している場合にも適用できる。第５発明は、複数の異なる形状および駆動方向の異なるブラシを駆動制御するため、液晶基板が湾曲していても、その表面の隅々まで洗浄が行き届く。
【実施例１】
【００２０】
図１（イ）は本発明の第１実施例で、直線ブラシ、ロールブラシ、カップブラシを組み合わせた液晶表示装置の基板表面を洗浄するブラシ組立体および液晶基板洗浄装置を説明するための斜視図で、（ロ）は側面図である。図１（イ）および（ロ）において、液晶表示装置（図示されていない）の基板１１は、定盤等からなる移動ベルト１２上に配置されるとともに、第１駆動装置１４１により、一方に駆動される。前記移動ベルト１２上に配置された基板１１は、前記基板１１と直交する方向に移動する直線ブラシ（第１ブラシ）１３１と、前記直線ブラシ１３１と平行に配置されたロールブラシ（第２ブラシ）１３２と、前記基板１１の表面を回転しながら洗浄する複数個のカップブラシ（第３ブラシ）１３３とにより表面が洗浄される。
【００２１】
前記直線ブラシ１３１は、第２駆動装置１４２により前記基板１１と直交する方向に往復運動が行なわれる。前記ロールブラシ１３２は、前記直線ブラシ１３１と平行に配置されるとともに、前記基板１１の表面を擦るように回転する。前記カップブラシ１３３は、複数個が前記直線ブラシ１３１およびロールブラシ１３２と平行に配置され、前記基板１１の表面と同じ面でそれぞれが回転する。
【００２２】
前記第２駆動装置１４２は、シリンダとピストンによる往復運動、または回転をピストンに伝達する往復運動に変換する。第３駆動装置１４３は、図示のごとく、ベルト等により駆動される。前記カップブラシ１３３は、図示のように、一つの第４駆動装置１４４とベルトまたはチェーン等により駆動される。また、前記第４駆動装置１４４は、それぞれのカップブラシ１３３に対応するように設けることもできる。さらに、洗浄装置１５は、必要に応じて設けられ、たとえば、純水のような洗浄液１５１を前記基板１１の表面に吹き付ける。
【００２３】
前記直線ブラシ１３１、ロールブラシ１３２、カップブラシ１３３は、所望おの太さと長さの合成樹脂部材あるいは天然部材からなり、所望の長さ、または大きさのデッキに植毛されている。前記ブラシ毛の長さ、柔らかさ、植毛密度は、液晶表示装置の基板１１の種類、大きさ、形状（平面または湾曲面）によって、任意に選択することができる。
【００２４】
図２は本発明の第１実施例で、複数のブラシおよび基板の制御を説明するためのブロック構成図である。図２において、液晶基板洗浄装置における制御装置は、駆動部１４と、電源供給部１６と、電源制御部１７と、設定部１９と、設定記憶部２０とから構成されている。前記駆動部１４は、第１駆動装置１４１から第５駆動装置１４５とから構成されている。第１駆動装置１４１は、移動ベルト１２上の基板１１を一方向に駆動するものである。第２駆動装置１４２は、直線ブラシ１３１を前記基板１１の移動方向と直交する方向に駆動させるものである。
【００２５】
前記第３駆動装置１４３は、前記ロールブラシ１３２が前記基板１１の表面を進行方向または逆方向に擦りながら摩擦するように駆動するものである。前記第４駆動装置１４４は、カップブラシ１３３１から１３３ｎを個別またはベルトまたはチェーン等に連動するようにして駆動される。前記第５駆動装置１４５は、洗浄装置１５の洗浄液１５１の吹き付け状態を基板１１の種類、大きさ、形状等により制御する。
【００２６】
電源供給部１６は、第１電源スイッチ１６１から第５電源スイッチ１６５とから構成されており、それぞれの駆動部１４におけるブラシの駆動を制御するための電源スイッチから構成されている。電源制御部１７は、第１制御部１７１から第５制御部１７５とから構成されており、前記各スイッチに所定の電力を供給できるように制御する。設定部１９は、予め決められた基板１１の種類、大きさ、形状に合った移動または回転速度を設定することができる。前記設定記憶部２０は、前記設定部１９によって設定された基板１１の種類、大きさ、形状に合った移動または回転速度が記憶される。
【００２７】
したがって、液晶基板洗浄装置は、基板１１の種類、大きさ、形状に合った移動または回転速度が設定されているので、前記基板１１の種類、大きさ、形状を指定するだけで、予め記憶されている所望の移動速度および回転速度で複数の異なった形状のブラシによって基板１１を洗浄することができる。
【実施例２】
【００２８】
図３（イ）および（ロ）は本発明の第２実施例である直線ブラシを説明するための図である。図３（イ）において、直線ブラシ１３１は、デッキ３３にブラシ毛３４が植毛されている。前記ブラシ毛３４が植毛されたデッキ３３は、支持棒３５により一体または別体として取り付けられている。前記支持棒３５は、アクチュエータ１４２により直線運動が行なわれる。前記アクチュエータ１４２は、たとえば、ピストンおよびシリンダからなるものである。また、前記デッキ３３は、ガイド３６により支持されるとともに左右方向（図における）にガイドされる。
【００２９】
図３（ロ）に示す直線ブラシ１３１は、駆動部が異なっている。すなわち、前記駆動部は、モータ３１とクランク３２から構成されており、図３（ロ）に示すように直線ブラシ１３１を左右方向に駆動する。
【実施例３】
【００３０】
図４（イ）および（ロ）は本発明の第３実施例であるカップブラシを説明するための図である。図４（イ）において、カップブラシ１３３１から１３３ｎは、ベルト４１とそれぞれのブラシに取り付けられたプーリ４２、および第４駆動装置１４４とプーリ４３によりそれぞれが反対方向に回転できるようになっている。図４（ロ）において、前記（イ）と異なるところは、第４駆動装置１４４の回転を伝達する手段がチェーン４５と、それぞれのカップブラシ１３３１から１３３ｎに取り付けたスプロケット４６にある。前記図４（ロ）に示された例は、前記カップブラシの回転方向が同じになる。
【産業上の利用可能性】
【００３１】
以上、本発明の実施例を詳述したが、本発明は、前記実施例に限定されるものではない。そして、本発明は、特許請求の範囲に記載された事項を逸脱することがなければ、種々の設計変更を行うことが可能である。ブラシ毛の材質、長さ、密度等は、基板の種類、大きさ、形状によって任意に選択することができる。また、図２に示されたブロックは、周知または公知の技術により達成されるものである。
【図面の簡単な説明】
【００３２】
【図１】（イ）は本発明の第１実施例で、直線ブラシ、ロールブラシ、カップブラシを組み合わせた液晶表示装置の基板表面を洗浄するブラシ組立体および液晶基板洗浄装置を説明するための斜視図で、（ロ）は側面図である。（実施例１）
【図２】本発明の第１実施例で、複数のブラシおよび基板の制御を説明するためのブロック構成図である。
【図３】（イ）および（ロ）は本発明の第２実施例である直線ブラシを説明するための図である。（実施例２）
【図４】（イ）および（ロ）は本発明の第３実施例であるカップブラシを説明するための図である。（実施例３）
【図５】（イ）および（ロ）は従来の液晶表示装置の基板表面を洗浄する状態を説明するための図である。
【符号の説明】
【００３３】
１１・・・基板
１２・・・移動ベルト
１３１・・・直線ブラシ（第１ブラシ）
１３２・・・ロールブラシ（第２ブラシ）
１３３・・・カップブラシ（第３ブラシ）
１３３１・・・カップブラシ（第３ブラシ）
１３３ｎ・・・カップブラシ（第ｎブラシ）
１４・・・駆動部
１４１・・・第１駆動装置
１４２・・・第２駆動装置（アクチュエータ）
１４３・・・第３駆動装置
１４４・・・第４駆動装置
１４５・・・第５駆動装置
１５・・・洗浄装置
１５１・・・洗浄液
【図１】
2006184388.tif 000003
【図２】
2006184388.tif 000004
【図３】
2006184388.tif 000005
【図４】
2006184388.tif 000006
【図５】
2006184388.tif 000007